(57)【特許請求の範囲】
【請求項１】
第１のコンベヤ要素と、第２のコンベヤ要素と、ヒンジピンとを備え、前記第１のコンベヤ要素が、相互に離間しそれぞれの間に一連のスペースを形成している一連の環部で、相互に位置合わせされた開口をそれぞれ具備する中央部に位置した準一連の環部、及び前記中央部に位置した準一連の環部の一端に隣接し、前記中央部に位置した準一連の環部の開口と部分的に整合して位置した開口を具備する端環部とを含む一連の環部と、前記端環部の開口に隣接した当接領域とを含んでおり、前記第２のコンベヤ要素が弾性材料で作製され、相互に離間した一連の環部で、前記第１のコンベヤ要素の環部間のスペース内へと延び、それぞれの間に前記第１のコンベヤ要素の中央部に位置した準一連の環部を受け入れる一連のスペースを形成し、相互に且つ前記中央部に位置した準一連の環部の開口に位置合わせされさらにある寸法を有する開口をそれぞれ具備した環部を含んでおり、前記ヒンジピンが、前記第１のコンベヤ要素の中央部に位置した準一連の環部の開口及び前記第２のコンベヤ要素の環部の開口を通って延びる中央部と、前記第１のコンベヤ要素の端環部と前記第２のコンベヤ要素の環部との間にあって、前記第１のコンベヤ要素の端環部の当接領域と干渉するように位置決めされ、前記第２のコンベヤ要素の環部の開口の寸法より大きい寸法を有する拡大端部とを含んでいるコンベヤ。
【請求項２】
前記第１のコンベヤ要素の端環部の開口がある寸法を有し、前記拡大端部が前記第２のコンベヤ要素の環部の開口の寸法より大きく且つ前記第１のコンベヤ要素の端環部の開口の寸法より小さい寸法を有する請求項１記載のコンベヤ。
【請求項３】
前記第１のコンベヤ要素と前記ヒンジピンの少なくとも一方が弾性材料で作製されている請求項１記載のコンベヤ。
【請求項４】
前記第１のコンベヤ要素と前記ヒンジピンの両方が弾性材料で作製されている請求項１記載のコンベヤ。
【請求項５】
前記ヒンジピンと前記第１及び第２のコンベヤ要素が弾性材料で作製されている請求項１記載のコンベヤ。
【請求項６】
前記第２のコンベヤ要素が、前記第１のコンベヤ要素の端環部に隣接して位置し前記ヒンジピンの軸方向に延びた幅を有する端環部を有し、前記第１のコンベヤ要素の端環部と前記第２のコンベヤ要素の端環部との間のスペースが、前記ヒンジピンの軸方向に前記第２のコンベヤ要素の端環部の軸方向幅の２倍にほぼ等しい幅を有する請求項１記載のコンベヤ。
【請求項７】
前記第１のコンベヤ要素の端環部が前記中央部に位置した準一連の環部から、前記中央部に位置した準一連の環部間のスペースの３倍にほぼ等しい距離だけ離間している請求項１記載のコンベヤ。
【請求項８】
前記ヒンジピンの拡大端部がほぼ円錐状で、前記中央部に隣接して位置した内端と、前記中央部から離れ、前記第２のコンベヤ要素の環部の開口の寸法より大きい寸法を有する端部、及び前記中央部から離隔して位置し、前記内端の寸法より大きく且つ前記第１のコンベヤ要素の端環部の開口を通過可能な寸法を有する外端を具備している請求項１記載のコンベヤ。
【請求項９】
前記第２のコンベヤ要素が前記第１のコンベヤ要素の端環部に隣接して位置した端環部を有し、前記ヒンジピンの拡大端部が前記第２のコンベヤ要素の端環部と前記第１のコンベヤ要素の端環部との間の軸方向間隔より小さい軸方向長さを有する請求項１記載のコンベヤ。
【請求項１０】
前記第２のコンベヤ要素の端環部と前記第１のコンベヤ要素の端環部との間の間隔が、前記中央部に位置した準一連の環部間のスペースより大きい請求項１記載のコンベヤ。
【請求項１１】
前記ヒンジピンの拡大端部が、前記ヒンジピンの中央部に隣接して位置し且つ前記第２のコンベヤ要素の環部の開口の寸法より大きい寸法を有する肩を形成している請求項１記載のコンベヤ。
【請求項１２】
前記第１のコンベヤ要素の端環部の開口がある寸法を有し、前記ヒンジピン拡大端部が軸方向に沿って外側に拡開した円錐状を成し、外端の組合せ幅が前記第１のコンベヤ要素の端環部の開口の寸法と等しいかあるいはそれよりわずかに大きい寸法となる２つの半径方向に離間した突状部を形成する軸方向に延びた中央スロットを具備している請求項１記載のコンベヤ。
【請求項１３】
第１のコンベヤ要素と、第２のコンベヤ要素と、ヒンジピンとを備え、前記第１のコンベヤ要素が弾性材料で作製され、相互に離間しそれぞれの間に一連のスペースを形成している一連の環部で、一定の距離をあけて相互に離間し、相互に位置合わせされ且つある寸法を有する開口をそれぞれ具備する中央部に位置した準一連の環部、及び前記中央部に位置した準一連の環部の一端に、前記中央部に位置した準一連の環部の隣合う環部間の一定の軸方向距離の３倍にほぼ等しい距離だけ軸方向に離れて隣接しており、前記中央部に位置した準一連の環部の開口と部分的に整合して位置し且つ前記第１のコンベヤ要素の環部の開口の寸法より大きい寸法を有する開口を具備した端環部を含む一連の環部と、前記端環部の開口に隣接して位置した当接領域とを備えた端部を含んでおり、前記第２のコンベヤ要素が、相互に離間した一連の環部で、前記第１のコンベヤ要素の環部間のスペース内へと延び、それぞれの間に前記第１のコンベヤ要素の中央部に位置した準一連の環部を受け入れる一連のスペースを形成し、端環部を含み、第２のコンベヤ要素の一連の環部の各々に位置し、相互に位置合わせされさらに前記第１のコンベヤ要素の端環部の開口の寸法とほぼ等しい寸法を有する開口をそれぞれ具備する環部を備えた端部を含んでおり、前記ヒンジピンが弾性材料で作製され、前記第１のコンベヤ要素の中央部に位置した準一連の環部の開口及び前記第２のコンベヤ要素の環部の開口を通って延びる中央部と、前記第１のコンベヤ要素の端環部と前記第２のコンベヤ要素の端環部との間に位置し、軸方向に沿って外側に拡開した円錐状で、前記中央部に隣接して位置して位置し、前記第２のコンベヤ要素の環部の開口の寸法より大きい寸法を有する内端と、前記中央部から離隔して位置し、前記第１のコンベヤ要素の端環部の当接領域と干渉するように位置決めされた外端とを具備する拡大端部とを含んでいるコンベヤ。
【請求項１４】
前記ヒンジピンの拡大端部が、前記第１のコンベヤ要素の端環部の開口の寸法よりわずかに小さい寸法の軸方向外端を具備している請求項１３記載のコンベヤ。
【請求項１５】
前記ヒンジピンの拡大端部が２つの半径方向に離間した突状部を形成する軸方向に延びた中央スロットを具備している請求項１３記載のコンベヤ。
【請求項１６】
前記突状部が、組み合わせて前記第１のコンベヤ要素の端環部の開口の寸法と等しいかあるいはそれよりわずかに大きい寸法となる複合外端を有する請求項１５記載のコンベヤ。
【請求項１７】
前記ヒンジピンの拡大端部が、前記第２のコンベヤ要素の端環部に隣接して位置すると共に、前記ヒンジピンの中央部に隣接して位置し且つ前記第２のコンベヤ要素の環部の開口の寸法より大きい寸法を有する肩を形成する内端を具備している請求項１３記載のコンベヤ。
【請求項１８】
前記第２のコンベヤ要素も弾性材料で作製されている請求項１３記載のコンベヤ。
【発明の詳細な説明】
【０００１】
【発明の属する技術分野】
本発明は一般にベルト、チェーン、またはコンベヤの構造に関し、特に２つの隣合うベルト、チェーン、またはコンベヤ要素を連結するヒンジピンの望ましくない軸方向の移動を防ぐためのシステムあるいは構成に関する。
【０００２】
【従来の技術及び発明が解決しようとする課題】
すなわち、ベルト、チェーンまたはコンベヤのヒンジピンに加わる軸方向の負荷のため、ヒンジピンが軸方向に移動して、ベルト、チェーンまたはコンベヤの軸方向に隣合う要素との係合が外れるのを防ぐのに、ヒンジピン保持システムが必要になっている。
【０００３】
従来、このヒンジピンの軸方向移動を防ぐため、プラグやヘッド付ピンやフード付リンク延出体が用いられてきた。
これら従来技術については、以下の各米国特許に注目されたい：
１９８９年  ８月２２日発行の米国特許第４，８５８，７５３号
１９９０年  ８月２１日発行の米国特許第４，９４９，８３８号
１９９０年１１月２７日発行の米国特許第４，９７２，９４２号
１９９１年  ６月  ４日発行の米国特許第５，０２０，６５６号
１９９１年  ９月２０日発行の米国特許第５，０５８，７３２号
１９９２年  ４月２１日発行の米国特許第５，１０５，９３８号
１９９２年１０月２０日発行の米国特許第５，１５６，２６２号
１９９２年１０月２０日発行の米国特許第５，１５６，２６４号
１９９４年  ６月２６日発行の米国特許第５，３３２，０８４号
【０００４】
【課題を解決するための手段】
本発明は第１のコンベヤ要素と、第２のコンベヤ要素と、ヒンジピンとを備えたコンベヤで、前記第１のコンベヤ要素が、相互に離間しそれぞれの間に一連のスペースを形成している一連の環部で、相互に位置合わせされた開口をそれぞれ具備する中央部に位置した準一連の環部、及び前記中央部に位置した準一連の環部の一端に隣接し、前記中央部に位置した準一連の環部の開口と部分的に整合して位置した開口を具備する端環部を含む一連の環部と、その端環部の開口に隣接した当接領域とを含んでおり、前記第２のコンベヤ要素が弾性材料で作製され、相互に離間した一連の環部で、前記第１のコンベヤ要素の環部間のスペース内へと延び、それぞれの間に前記第１のコンベヤ要素の中央部に位置した準一連の環部を受け入れる一連のスペースを形成し、相互に且つ前記中央部に位置した準一連の環部の開口に位置合わせされさらにある寸法を有する開口をそれぞれ具備した環部を含んでおり、前記ヒンジピンが、前記第１のコンベヤ要素の中央部に位置した準一連の環部の開口及び前記第２のコンベヤ要素の環部の開口を通って延びる中央部と、前記第１のコンベヤ要素の端環部と前記第２のコンベヤ要素の環部との間にあって、前記第１のコンベヤ要素の端環部の当接領域と干渉するように位置決めされ、前記第２のコンベヤ要素の環部の開口の寸法より大きい寸法を有する拡大端部とを含んでいるコンベヤを提供する。
【０００５】
また本発明は、上記したコンベヤにおいて、前記第１のコンベヤ要素の端環部の開口がある寸法を有し、前記拡大端部が前記第２のコンベヤ要素の環部の開口の寸法より大きく且つ前記第１のコンベヤ要素の端環部の開口の寸法より小さい寸法を有するコンベヤを提供する。
【０００６】
さらに本発明は、第１のコンベヤ要素と、第２のコンベヤ要素と、ヒンジピンとを備えたコンベヤで、前記第１のコンベヤ要素が弾性材料で作製され、相互に離間しそれぞれの間に一連のスペースを形成している一連の環部で、一定の距離をあけて相互に離間し、相互に位置合わせされ且つある寸法を有する開口をそれぞれ具備する中央部に位置した準一連の環部、及び前記中央部に位置した準一連の環部の一端に、前記中央部に位置した準一連の環部の隣合う環部間の一定の軸方向距離の３倍にほぼ等しい距離だけ軸方向に離れて隣接しており、前記中央部に位置した準一連の環部の開口と部分的に整合して位置し且つ前記第１のコンベヤ要素の環部の開口の寸法より大きい寸法を有する開口を具備した端環部を含む一連の環部と、その端環部の開口に隣接して位置した当接領域とを備えた端部を含んでおり、前記第２のコンベヤ要素が、相互に離間した一連の環部で、前記第１のコンベヤ要素の環部間のスペース内へと延び、それぞれの間に前記第１のコンベヤ要素の中央部に位置した準一連の環部を受け入れる一連のスペースを形成し、端環部を含み、第２のコンベヤ要素の一連の環部の各々に位置し、相互に位置合わせされさらに前記第１のコンベヤ要素の端環部の開口の寸法とほぼ等しい寸法を有する開口をそれぞれ具備する環部を備えた端部を含んでおり、前記ヒンジピンが弾性材料で作製され、前記第２のコンベヤ要素の端環部と前記第１のコンベヤ要素の端環部との間の軸方向間隔より小さい軸方向長さを有し、前記第１のコンベヤ要素の中央部に位置した準一連の環部の開口及び前記第２のコンベヤ要素の環部の開口を通って延びる中央部と、前記第１のコンベヤ要素の端環部と前記第２のコンベヤ要素の端環部との間に位置し、軸方向に沿って外側に拡開した円錐状で、前記中央部に隣接して位置して位置し、前記第２のコンベヤ要素の環部の開口の寸法より大きい寸法を有する内端と、前記中央部から離隔して位置し、前記第１のコンベヤ要素の端環部の当接領域と干渉するように位置決めされた外端とを具備する拡大端部とを含んでいるコンベヤを提供する。
【０００７】
本発明のその他の各特徴及び利点は、以下の詳細な説明、請求の範囲の記載及び添付の図面を参照することによって当業者には明かとなろう。
【０００８】
【発明の実施の形態】
本発明の一実施例を詳しく説明する前に、本発明の用途は、以下の説明あるいは添付の図面に示す構成部品の構造及び配置の詳細に制限されないことが理解されるべきである。本発明は例示以外の実施例も可能であり、さまざまな方法で実用及び実施化可能である。また、ここで用いる表現と用語は説明を目的としており、制限の意に解されるべきでない。
【０００９】
図１に、それぞれ第１及び第２の要素またはベルトまたはキャタピラまたはリンク１３と１５と、これら第１及び第２のコンベヤ要素またはリンク１３と１５を旋回自在に連結するヒンジピン１７とで構成されたキャタピラアセンブリ、またはチェーン、またはベルト、またはコンベヤ１１が示してある。本発明はどんな種類のキャタピラアセンブリ、チェーン、ベルト、またはコンベヤにも適用可能であり、後で指摘する場合を除き、コンベヤ要素は任意の通常の形態を取ることができ、また任意の適切な材料で作製可能である。
【００１０】
第１のコンベヤ要素１３は弾性的にフレキシブルであるのが好ましい任意の適切なプラスチックまたはその他の材料で作製可能で、横方向に離間してほぼ直線状に延びた側面２２を具備し、これら両側面２２間に第１端部２１が位置しており、また相互に離間した第１連の環部（アイ）２３を備え、これら環部２３はそれぞれの間に一連のスペース２５を形成すると共に、軸心３０に沿って相互に位置合わせされ且つ一定の直径もしくは寸法を有する開口または孔２９をそれぞれ備える中央部に位置した準一連の環部２７を含む。開口または孔２９は円筒状で、共通の軸心３０と共通の直径を有するのが好ましい。
【００１１】
第１のコンベヤ要素またはリンク１３の第１端部２１は、中央部に位置した準一連の環部２７の一端に隣接し離間して位置した第１の端環部３１と、中央部に位置した準一連の環部２７の他端に隣接し離間して位置した第２の端環部３３も具備している。
【００１２】
好ましい構造において、第１の端環部３１は中央部に位置した準一連の環部２７のうち隣接した環部から、中央部に位置した準一連の環部２７間の個々のスペース２５の軸方向長さのほぼ３倍の距離だけ離間している。その他の構造として、第１の端環部３１はもっと充分に離間し、点検及び標準的な工具すなわちニードルノーズペンチやネジ回しによる取り外しのため、ピン端部へアクセスできるようにしてもよい。
【００１３】
第２の端環部３３は中央部に位置した準一連の環部２７のうち隣接した環部から、中央部に位置した準一連の環部２７間のスペース２５の軸方向長さにほぼ等しい距離だけ離間している。端環部３１と３３は、一般に円筒形状である開口または孔４１と４３をそれぞれ具備する。
【００１４】
端環部３１の開口４１は、中央部に位置した準一連の環部２７の開口２９の直径より大きい直径を有し、第１のコンベヤ要素１３の中央部に位置した準一連の開口２９の軸心３０に対し偏心してつまりそこから離間して位置した軸心４７を有する。また端環部３１は、中央部に位置した準一連の環部２７の開口２９の投影範囲内に位置した当接領域５１を具備する（図２参照）。
【００１５】
その他の構成を用いることもできるが、開示の構造において、端環部３１の開口４１の軸心４７は中央部に位置した準一連の環部２７の開口２９の軸心３０から、ピッチ方向つまりコンベヤ１１の移動方向６１に短い距離だけ離間してつまり偏心して位置するのが好ましい。所望なら図４に示すように、軸心４７は中央部に位置した準一連の環部２７の開口２９の軸心３０から、チェーンまたはコンベヤの高さ方向６３、すなわちピッチ方向つまりコンベヤの移動方向６１と直角な方向６３に短い距離だけ離間してつまり偏心して位置させることもできる。
【００１６】
かかるピッチ方向６１に沿った偏心により、コンベヤ１１が引張あるいは圧縮状態下にあるとき、ヒンジピン１７が軸方向に進むつまり移動するのを防止している。またコンベヤの高さ方向６３に沿った偏心により、コンベヤ１１が隣接するリンクまたは要素１３と１５の間で高さの変動を受けるとき、ヒンジピン１７が軸方向に進むつまり移動するのを防止している。
【００１７】
端環部３３の開口４３は、中央部に位置した準一連の環部２７の開口２９の直径とほぼ等しい直径を有し、開口２９と軸方向に位置合わせされて位置する。
【００１８】
第２のコンベヤ要素またはリンク１５は任意の適切なプラスチック、金属またはその他の材料で作製可能で、横方向に離間してほぼ直線状に延びた側面７２を具備し、これら両側面７２間に端部７１が位置しており、また軸方向つまり横断方向に相互に離間した一連の環部（アイ）７３を備え、これら環部７３は第１のコンベヤ要素またはリンク１３の環部２３間のスペース２５内へと延びると共に、それぞれの間に第１のコンベヤ要素またはリンク１３の中央部に位置した準一連の環部２７を受け入れる別の一連のスペース７５を形成している。環部７３はそれぞれ開口または孔７７を具備し、これら開口７７は相互に且つ第１のコンベヤ要素またはリンク１３の中央部に位置した準一連の環部２７の開口２９に対し位置合わせされており、また第１のコンベヤ要素またはリンク１３の中央部に位置した準一連の環部２７の開口２９とほぼ同じ寸法あるいは直径を有する。
【００１９】
ヒンジピン１７は弾性的にフレキシブルな任意の適切なプラスチック、金属またはその他の材料で作製可能で、第１のコンベヤ要素またはリンク１３の中央部に位置した準一連の環部２７の開口２９と第２のコンベヤ要素またはリンク１５の環部７３の開口７７とを貫いて延びると共に、第１のコンベヤ要素またはリンク１３の中央部に位置した準一連の環部２７の開口２９の直径よりほんのわずかに小さい直径を有する中央部８１を具備している。
【００２０】
さらにヒンジピン１７は、第１のコンベヤ要素またはリンク１３の第１端環部３１に隣接して位置し且つ第１のコンベヤ要素またはリンク１３の第１端環部３１の当接領域５１と干渉するように位置決めされた第１の端部８３を具備している。より詳しく説明すれば、その他の構成を用いることもできるが、開示の構造において第１の端部８３は、中実構造を成し、端環部３１の開口４１の直径よりわずかに小さいが、第２のコンベヤリンク１５の環部７３の開口７７の直径より大きい最大直径あるいは寸法を有する拡大ヘッド８５を具備する。拡大ヘッド８５は、軸方向に沿って外側に拡開した円錐状で、その外端で最大直径を有し、軸方向内端でヒンジピン中央部８１の直径に合致する形状を有するのが好ましい。軸方向に沿って外側に拡開した円錐状を採用することでカム作用が助長され、端環部３１の開口４１に拡大ヘッド８５を通すのが容易となる。
【００２１】
またヒンジピン１７は、第１のコンベヤ要素またはリンク１３の第２端環部３３の開口４３内に位置し且つヒンジピン１７の中央部８１の直径に等しい直径をを有する第２の端部８７を具備している。
【００２２】
場合により、第１のコンベヤ要素またはリンク１３が充分に弾性的な材料で作製されていれば、ヒンジピン１７は弾性でなくともよい。逆に、ヒンジピン１７が充分に弾性的な材料で作製されていれば、第１のコンベヤ要素またはリンク１３は弾性でなくともよい。しかし好ましくは、第１のコンベヤ要素１３とヒンジピン１７両方が弾性であるのが望ましい。
【００２３】
コンベヤ１１の組立時には、第１のコンベヤ要素またはリンク１３の中央部に位置した環部２７が第２のコンベヤ要素またはリンク１５のスペース７５に嵌合し、また第２のコンベヤ要素またはリンク１５の環部７３が第１のコンベヤ要素またはリンク１３のスペース２５に嵌合し、両環部の開口２９、７７が軸方向に位置合わせされた状態に、第１及び第２のコンベヤ要素またはリンク１３と１５が組み立てられる。その後、ヒンジピン１７の第２端部８７が第１のコンベヤ要素１３の第１端環部３１の開口４１、第１のコンベヤ要素１３の中央部に位置した環部２７と第２のコンベヤ要素１５の環部７３にそれぞれ位置した開口２９と７７、さらに第１のコンベヤ要素１３の第２端環部３３の開口４３を通して挿入される。第１のコンベヤリンク１３及び／又はヒンジピン１７の弾性のため、第１端環部３１の開口４１が第２のコンベヤリンク１５の開口７７に対し偏心もしくは不整合であっても、ヒンジピン１７の第２端部８７を第２端環部３３に挿通することで、ヒンジピン１７の第１端部８３も第１端環部３１に挿通される。ヒンジピン１７の第１端部８３が第１のコンベヤリンク１３の第１端環部３１の開口４１を完全に通過すると、各構成部品の弾性により、ヒンジピン１７の拡大ヘッド８５が第１端環部３１の当接領域５１と当接関係となるように位置決めし直され、それによってヒンジピンが第１端環部３１へ向かう方向に軸方向移動するのを防いでいる。これと同時に、ヒンジピンの第１端部８３が第１端環部３１の開口４１を通って完全に挿入されると、拡大ヘッド８５を有する第１端部８３の内端を第２のコンベヤリンク１５の隣接する環部７７に近接して位置せしめる。拡大ヘッド８５は円錐状で直径が外側へ向かって徐々に増大しているので、ヒンジピンが第１端環部３３へ向かう軸方向の移動もこれによっても防止される。つまり開示の構造においては、拡大第１端部８３（ヒンジピン１７の一端にのみ位置する）が、ヒンジピン１７の両方の軸方向に沿った軸移動を防ぐように有効に機能している。
【００２４】
前述したように、ヒンジピン１７の各開口への挿入は、ヒンジピン１７及び／又は第１端環部３１を湾曲あるいはたわませることによって達せられ、ヒンジピン１７及び／又は第１のコンベヤ要素またはリンク１３の弾性によって可能となる。
【００２５】
従って、第１のコンベヤ要素またはリンク１３の第１端環部３１の偏心開口４１を用いたことで、ヒンジピン１７が両軸方向に進むつまり移動するのを防止し、それによって連結されたコンベヤ要素またはリンク１３と１５の分解を防止している。さらにかかる防止が、ヒンジピン１７と連結されたコンベヤ要素またはリンク１３と１５の一方以外の追加の部品を用いずに達成されている。
【００２６】
図５には別の実施例のヒンジピン１１７が示してあり、このヒンジピン１１７は拡大端部１８３の内端に、ヒンジピンの軸心に対して直角に延び、第２のコンベヤ要素またはリンク１５の開口７７の直径より大きい外径を有する肩１９１を備えている点を除き、上述したヒンジピン１７と同等に構成されている。
【００２７】
図６には更に別の実施例のヒンジピン２１７が示してあり、このヒンジピン２１７は、相互に離間し平行に延びた２つの突状部２９３を与えるように軸方向に延びるスロット２９１を備えた円錐状の拡大端部２８３を有する点を除き、上述したヒンジピン１７と同等に構成されている。ここに開示の突状部２９３を用いることで、拡大端部２８３の外端が部分的に屈曲可能となってその外端の寸法を減少させ、ヒンジピン２１７の拡大端部２８３を端環部３１の開口４１に通す組立が容易になる。従って、ヒンジピン２１７の拡大端部２８３の屈曲しない状態での寸法を、端環部３１の開口４１の寸法あるいは直径に等しいかまたはそれより幾分大きくすることができる。本発明の好ましい態様においてヒンジピンは、ヒンジピンのヘッドが変形可能で、元の形状へ戻るような記憶を有するプラスチック材料で作製される。
【００２８】
ここに開示の構造においては、端環部３１と中央部に位置した準一連の環部２７のうち隣接する環部２７との間隔を広く取ってあり、組立が適切かどうか、汚れていないか、及びヒンジピンの摩耗状態の目視点検を可能にすると共に、所望なとき分解のため容易にアクセスできるようにしている。
【００２９】
また、開示の構造はコンベヤ１１を組み立てるのに何等特別の工具を必要としていない。さらに開示の構造は、相互に対向する２つの方向に沿ったヒンジピン１７の軸方向移動を物理的に阻止している。
本発明の各種特徴は、特許請求の範囲の各項に記載されている。
【図面の簡単な説明】
【図１】本発明の各種特徴を実施したコンベヤの部分斜視図で、部分的に破断及び断面で示してある。
【図２】図１に示したコンベヤの一部の部分断面図。
【図３】図１に示したコンベヤの部分端面図。
【図４】図３と同様の部分端面図で、本発明の別の実施例を示す。
【図５】図２と同様の部分断面図で、本発明の別の実施例を示す。
【図６】図２と同様の部分断面図で、本発明の更に別の実施例を示す。
【符号の説明】
１１  コンベヤ
１３、１５  第１、２のコンベヤ要素（リンク）
１７；１１７；２１７  ヒンジピン
２１；７１  第１、２のコンベヤ要素端部
２３；７３  第１、２のコンベヤ要素の一連の環部
２５；７５  第１、２のコンベヤ要素の環部間のスペース
２７  第１のコンベヤ要素の準一連の環部
２９；７７  第１、２のコンベヤ要素の環部の開口
３１  第１のコンベヤ要素の端環部
４１  第１のコンベヤ要素の端環部の開口
５１  当接領域
８１  ヒンジピンの中央部
８３；１８３；２８３  ヒンジピンの拡大（第１）端部
１９１  肩
２９１  スロット
２９３  突状部
【図１】
0003926418.tif 000002
【図２】
0003926418.tif 000003
【図３】
0003926418.tif 000004
【図４】
0003926418.tif 000005
【図５】
0003926418.tif 000006
【図６】
0003926418.tif 000007